(57)【要約】【課題】複数のＳＮＳサーバから投稿位置を含む投稿情報を取得し、１つの地図上の前記投稿位置に該当する位置に前記投稿情報を表示する地図表示装置において、重複する不要な投稿情報の表示を防止し、地図表示の視認性を向上することができる地図表示装置を提供することである。【解決方法】同一投稿情報集約部４２ｂは、複数のＳＮＳサーバから取得した投稿情報からアカウント情報、投稿日時、投稿内容を基に同一の投稿情報を判定し、同一投稿情報が存在すれば、１つの投稿情報に集約し、記憶する。投稿情報描画部４４は、記憶した投稿情報を地図上に表示させるための投稿情報画像を作成する際、投稿アイコンとして、同一投稿情報であれば、同一投稿情報を示す統合アイコンを、通常の投稿情報であれば、投稿先のサーバを示すアイコンを設定する。そして、表示制御部５１は、地図画像に投稿情報画像を合成した合成地図画像を表示装置５２に表示させる。【選択図】図２
2013254045.tif 000002
【特許請求の範囲】
【請求項１】
投稿者の識別情報、投稿した位置を示す投稿位置、投稿した日時を示す投稿日時、および、投稿内容を含む投稿情報を蓄積する複数の投稿サーバとネットワークを介して接続され、
前記複数の投稿サーバから前記投稿情報を取得し、１つの地図上の前記投稿位置に該当する位置に前記投稿情報を表示する地図表示装置において、
前記取得した投稿情報のうち、１の投稿サーバから取得した投稿情報と、その他の投稿サーバから取得した投稿情報とを比較し、同一の投稿情報を特定して１つの投稿情報に集約する同一投稿情報集約部と、
前記集約された同一投稿情報を、地図上の前記同一投稿情報の投稿位置に該当する位置に表示するように制御する表示制御部と、
を備えることを特徴とする地図表示装置。
【請求項２】
前記投稿サーバに蓄積される投稿情報にはさらに投稿手段情報が含まれており、
前記同一投稿情報集約部は、前記１の投稿サーバから取得した所定の投稿手段情報を有する投稿情報と、その他の投稿サーバから取得した所定の投稿手段情報を有する投稿情報同士を比較し、同一投稿情報を特定して１つの投稿情報に集約する、
ことを特徴とする請求項１記載の地図表示装置。
【請求項３】
前記同一投稿情報集約部は、投稿情報の投稿者識別情報、投稿日時、投稿内容を比較し、これらの項目が全て同じ場合、同一投稿情報と特定して１つの投稿情報に集約する、
ことを特徴とする請求項１および請求項２記載の地図表示装置。
【請求項４】
前記同一投稿情報集約部は、投稿情報の投稿者識別情報、投稿位置、投稿内容を比較し、これらの項目が全て同じ場合、同一投稿情報と特定して１つの投稿情報に集約する、
ことを特徴とする請求項１〜３記載の地図表示装置。
【請求項５】
前記表示制御部は、前記集約された同一投稿情報を表示する際、同一投稿情報が取得された複数のサーバが認識可能な表示形式で表示する、
ことを特徴とする請求項１〜４記載の地図表示装置。
【発明の詳細な説明】
【技術分野】
【０００１】
本発明は、複数の投稿サーバから投稿位置を含む投稿情報を取得し、１つの地図上の前記投稿位置に該当する位置に前記投稿情報を表示する地図表示装置に関する。
【背景技術】
【０００２】
近年、ツイッター（登録商標）、Ｆａｃｅｂｏｏｋ（登録商標）、Ｇｏｏｇｌｅ＋（登録商標）などのソーシャル・ネットワーキング・サービス（ＳＮＳ）が普及しており、ユーザは、スマートフォンや、携帯電話、パーソナルコンピュータなどを用いて、手軽に情報を閲覧および投稿することが可能になっている。
これらのＳＮＳは、ユーザが投稿する際に、投稿位置と投稿内容を対応付けることができるため、ＳＮＳサーバには、投稿者を示すアカウント、投稿者が投稿した日時を示す投稿日時、投稿者が投稿した位置を示すジオタグ情報、投稿者が投稿するために利用したアプリケーション等の手段を示す投稿手段、および、投稿内容等の情報が含まれた投稿情報が蓄積されている。
また、ＳＮＳユーザの中には、複数のＳＮＳに登録しているユーザも存在する。このユーザは、複数のＳＮＳに同一の情報を投稿する際に、所定のＳＮＳに投稿した投稿情報を他のＳＮＳに同期させたり、複数のＳＮＳに対応したアプリケーションを利用したりすることで、一回の投稿操作で、複数のＳＮＳに同一の投稿情報を投稿できるようにしている。
つまり、それぞれのＳＮＳに投稿しなくても、一回の投稿操作で、全く同じ内容の投稿情報が、同時刻に複数のＳＮＳへ投稿される。
【０００３】
このようなＳＮＳは、車内で利用したいというユーザニーズが高く、ユーザが車両に乗車する際に、携帯機器で利用している投稿サービスを引き続き車内でも利用したいという要望がある。
そこで、ＳＮＳサーバに投稿された投稿情報を取得し、その投稿情報をその投稿情報の位置情報に基づき、地図上に表示する車載用表示装置が存在する（特許文献１）。
特許文献１記載の車載用表示装置は、ＳＮＳサーバから投稿情報を取得し、取得した投稿情報を所定のカテゴリに分類し、その後、分類されたカテゴリに応じたアイコンにより、投稿情報を地図上に表示させている。
【０００４】
しかし、特許文献１では、１つのＳＮＳサーバから投稿情報を取得し、その投稿情報を地図に表示しているが、複数のＳＮＳサーバから投稿情報を取得し、地図に表示させる場合、上記のように複数のＳＮＳに同一の投稿情報が投稿されていると、それぞれのＳＮＳサーバから同一の投稿情報を取得することになり、同じ投稿情報が重複して表示されてしまうこととなる。よって、同じ位置や施設に対して、複数のアイコンが表示されるため、地図が見辛くなってしまう。また、地図にアイコンを表示させる量が多くなると、地図を表示する際の負荷が高くなってしまう。
【先行技術文献】
【特許文献】
【０００５】
【特許文献１】特開２０１１−２４７８３１号  公報
【特許文献２】特開２００５−２２７１１７号  公報
【発明の概要】
【発明が解決しようとする課題】
【０００６】
そこで、上記特許文献２記載のナビゲーション装置では、検索ワードとなる施設名が入力されると、ナビゲーション装置内のＤＶＤに記憶されている施設データベースと情報センタに記憶されている施設データベースから検索ワードを含む施設情報を検索し、ナビゲーション装置内における検索結果と情報センタにおける検索結果を比較し、２つの施設の位置の差が所定範囲内である施設を同一施設として判定し、重複する施設の情報の表示を回避している。
しかし、特許文献２を利用し、位置情報を基に重複する投稿情報を回避しようとすると、同じ位置もしくはその付近で投稿した複数の投稿情報に同一の検索ワードが含まれていれば、同一の投稿情報とみなされ、どちらか一方のみ（統合して）表示されることになる。
しかし、これらの投稿情報は、必ずしも投稿内容が同じとは言えないため、ユーザは、統合して表示せず、確認できるように表示しておいてほしいと感じる。一方、投稿内容が同じ投稿情報は、統合して表示させてほしいと感じる。
【０００７】
以上のことから、本発明の目的は、不要な投稿情報の表示を防止し、地図表示の視認性を向上した地図表示装置を提供することである。
【課題を解決するための手段】
【０００８】
上記課題を解決するために、本発明の地図表示装置は、投稿者の識別情報、投稿した位置を示す投稿位置、投稿した日時を示す投稿日時、および、投稿内容を含む投稿情報を蓄積する複数の投稿サーバとネットワークを介して接続され、前記複数の投稿サーバから前記投稿情報を取得し、１つの地図上の前記投稿位置に該当する位置に前記投稿情報を表示する地図表示装置であって、前記取得した投稿情報のうち、１の投稿サーバから取得した投稿情報と、その他の投稿サーバから取得した投稿情報とを比較し、同一の投稿情報を特定して１つの投稿情報に集約する同一投稿情報集約部と、前記集約された同一投稿情報を、地図上の前記同一投稿情報の投稿位置に該当する位置に表示するように制御する表示制御部と、を備えている。
【０００９】
好ましくは、前記投稿サーバに蓄積される投稿情報にはさらに投稿手段情報が含まれており、前記同一投稿情報集約部は、前記１の投稿サーバから取得した所定の投稿手段情報を有する投稿情報と、その他の投稿サーバから取得した所定の投稿手段情報を有する投稿情報同士を比較し、同一投稿情報を特定して１つの投稿情報に集約する。
【００１０】
前記同一投稿情報集約部は、投稿情報の投稿者識別情報、投稿日時、投稿内容を比較し、これらの項目が全て同じ場合、同一投稿情報と特定して１つの投稿情報に集約する。
または、前記同一投稿情報集約部は、投稿情報の投稿者識別情報、投稿位置、投稿内容を比較し、これらの項目が全て同じ場合、同一投稿情報と特定して１つの投稿情報に集約する。
そして、前記表示制御部は、前記集約された同一投稿情報を表示する際、同一投稿情報が取得された複数のサーバが認識可能な表示形式で表示する。
【発明の効果】
【００１１】
本発明によれば、複数のＳＮＳサーバから取得した投稿情報から同一の投稿情報を特定し、同一の投稿情報が存在すれば、１つの投稿情報に集約し、前記集約された同一投稿情報を地図に表示することで、重複する不要な投稿情報の表示を防止し、地図表示の視認性を向上することができる。
【図面の簡単な説明】
【００１２】
【図１】本発明の実施例に係る投稿情報表示システムの全体構成図である。
【図２】ナビゲーション装置において、地図上に投稿情報を表示したときの表示例である。
【図３】本発明の実施例に係る各種ＳＮＳサーバの構成図である。
【図４】本発明の実施例に係るナビゲーション装置の構成図である。
【図５】同一ユーザであることを判定するためのアカウント対応リストの一例を示す図である。
【図６】Ｆサーバ１１０に記憶された投稿情報の記憶例である。
【図７】Ｓサーバ１２０に記憶された投稿情報の記憶例である。
【図８】Ｔサーバ１３０に記憶された投稿情報の記憶例である。
【図９】本発明の実施例に係る投稿情報取得処理のフロー図である。
【図１０】投稿情報メモリに記憶される投稿情報の記憶例である。
【図１１】本発明の実施例に係るナビゲーション装置の投稿情報の地図表示処理のフロー図である。
【図１２】合成地図画像の表示例を示す図である。
【図１３】投稿情報詳細画像の表示例を示す図である。
【図１４】統合アイコンの変形例を示す図である。
【発明を実施するための形態】
【００１３】
以下、本発明を適用した一実施形態の地図表示装置について、図面を参照しながら説明する。なお、本発明の一実施形態の地図表示装置は、車両に搭載されたナビゲーション装置であるものとする。また、本発明を適用した一実施形態の地図表示装置は、３つの投稿サーバから投稿情報を取得するものとする。
【００１４】
図１は、本発明の実施例に係るナビゲーション装置が含まれる投稿情報表示システムの全体構成を示す図である。
図１に示す投稿情報表示システムは、ソーシャル・ネットワーキング・サービス（ＳＮＳ）の各種サービスを提供する第１ＳＮＳサーバ（以下、Ｆサーバ）１１０と、Ｆサーバ１１０とは異なるＳＮＳの各種サービスを提供する第２ＳＮＳサーバ（以下、Ｓサーバ）１２０と、Ｆサーバ１１０およびＳサーバ１２０とは異なるＳＮＳの各種サービスを提供する第３ＳＮＳサーバ（以下、Ｔサーバ）１３０と、それぞれのＳＮＳサーバに投稿情報を投稿したり、ＳＮＳサーバに投稿された投稿情報を閲覧するために利用されるパーソナルコンピュータ２１０や携帯電話２２０と、ナビゲーション装置３００と、を含んで構成されており、それぞれがネットワーク５００を介して接続されている。このネットワーク５００は、移動体電話網やインターネットなどの各種通信網を含んで構成されている。
また、上述したＳＮＳとしては、例えば、Ｔｗｉｔｔｅｒ（ツイッター：登録商標）やＦａｃｅｂｏｏｋ（フェイスブック：登録商標）、Ｇｏｏｇｌｅ＋（グーグルプラス：登録商標）、ブログ、ミニブログ、マイクロブログなどがある。
【００１５】
パーソナルコンピュータ（パソコン）２１０や携帯電話２２０は、ユーザが投稿情報を投稿するためのツールであり、これらは、ユーザによって入力された投稿内容を、ネットワーク５００を介して、各ＳＮＳサーバに送信する。
ナビゲーション装置３００は、操作部や表示装置などを含んで構成されるとともに、地図表示機能や経路探索機能といった車載用ナビゲーション装置の基礎的な機能を実装しており、ネットワーク５００を介して、各ＳＮＳサーバから各ＳＮＳサーバに蓄積された投稿情報を取得し、取得した投稿情報を、地図上の投稿位置に該当する位置に表示する。
ＳＮＳサーバ１１０、１２０、１３０、およびナビゲーション装置３００の構成の詳細、および、ＳＮＳサーバ１１０、１２０、１３０への投稿処理、投稿情報取得処理、投稿情報の表示処理についての詳細は、後述する。
【００１６】
続いて、図２は、（ａ）従来のナビゲーション装置において、投稿情報を地図上に表示した表示例と、（ｂ）本発明を適用した場合のナビゲーション装置において、投稿情報を地図上に表示した表示例と、を示した図である。
同図において、ＶＰは車両位置を示す自車位置マーク、ＲＤは道路、ＰＯＩは各種施設位置を示す施設アイコン、ＦＩはＦサーバ１１０に投稿された投稿情報の位置を示す投稿アイコン、ＳＩはＳサーバ１２０に投稿された投稿情報の位置を示す投稿アイコン、ＴＩはＴサーバ１３０に投稿された投稿情報の位置を示す投稿アイコン、ＭＩはＦサーバ１１０、Ｓサーバ１２０、および、Ｔサーバ１３０に投稿された同一の投稿情報の位置を示す投稿アイコンを示している。
【００１７】
従来のナビゲーション装置では、取得した投稿情報を地図上に表示させる際、各ＳＮＳサーバから取得した投稿情報をその投稿情報の投稿位置に基づく地図上の位置に表示させるため、同一の投稿情報に対して、複数の投稿アイコン（ＦＩ、ＳＩ、ＴＩ）が表示されている（図２（ａ））。
一方、本発明のナビゲーション装置では、取得した投稿情報を地図上に表示させる際、各ＳＮＳサーバから取得した投稿情報に同一投稿情報を集約して、その同一投稿情報の投稿位置に基づく地図上の位置に表示させるため、同一の投稿情報に対して、一つの投稿アイコン（ＭＩ）が表示されている（図２（ｂ））。
【００１８】
このようにすれば、複数のＳＮＳサーバに投稿した同一の投稿情報を集約して表示されるため、重複する不要な投稿情報の表示を防止し、地図表示の視認性を向上することができる。
【００１９】
次に、ＳＮＳサーバ１１０、１２０、１３０の詳細構成について、図３を用いて説明する。図３に示すように、ＳＮＳサーバ１１０、１２０、１３０は、通信部１、投稿情報受信部２、投稿情報制御部３、投稿情報記憶部４、投稿情報送信部５を含んで構成されている。
【００２０】
通信部１は、ネットワーク５００と接続しており、パソコン２１０、携帯電話２２０、およびナビゲーション装置３００とデータ通信を行う。
【００２１】
投稿情報受信部２は、パソコン２１０や携帯電話２２０から送信された投稿情報を、通信部１を介して受信し、投稿情報制御部３に出力する。なお、投稿情報は、投稿者を識別するアカウント情報、投稿した日時を示す投稿日時、投稿した位置を示す投稿位置（緯度、経度）、どの投稿手段（例えば、アプリケーションやウェブサイト）を利用して投稿したかを示す投稿手段情報、および文字列による投稿内容で構成されている。
また、投稿情報受信部２は、ナビゲーション装置３００から通信部１を介して投稿情報取得要求が入力されると、その投稿情報取得要求を投稿情報制御部３に出力する。
【００２２】
投稿情報制御部３は、投稿情報受信部２から出力された投稿情報を投稿情報記憶部４に記憶する。
さらに、投稿情報制御部３は、投稿情報受信部２から投稿情報取得要求が入力されると、投稿情報記憶部４から投稿情報を読み出して投稿情報送信部５に出力する。
【００２３】
投稿情報送信部５は、投稿情報制御部３から投稿情報が入力されると、入力された投稿情報に、送信サーバを識別するサーバ情報を付与し、通信部１を介して、パソコン２１０、携帯電話２２０、およびナビゲーション装置３００に送信する。
【００２４】
次に、ナビゲーション装置３００の詳細構成について、図４を用いて説明する。図４に示すように、ナビゲーション装置３００は、操作部１２、地図データ記憶装置１３、地図描画部１４、車両位置検出部１５、ＶＩＣＳ（登録商標）情報取得部１６、ＶＩＣＳ情報描画部１７、ナビ制御部２１（車両位置計算部２１ａ、地図読出制御部２１ｂ、経路探索処理部２１ｃを含む）、経路誘導処理部２４、音声再生装置２５、設定画面描画部３１、通信装置４１、投稿情報制御部４２（投稿情報取得部４２ａ、同一投稿情報集約部４２ｂ、投稿情報読出部４２ｃ）、投稿情報メモリ４３、投稿情報描画部４４、表示制御部５１、表示装置５２を含んで構成されている。
【００２５】
操作部１２は、ユーザの指示（操作）を受け付けるためのものであり、各種の操作ボタンや操作つまみ類を備えている。また、操作部１２は、表示装置５２に取り付けられたタッチパネルを含んでおり、画面上の一部を直接ユーザが指等で指し示すことにより、操作指示を行うことができるようになっている。これらの各種操作ボタンや操作つまみ類、タッチパネルにより入力された操作指示は、その操作指示に応じて、ナビ制御部２１や投稿情報制御部４２に出力される。
【００２６】
地図データ記憶装置１３は、地図表示や施設検索、経路探索などに必要な地図データが格納されている記憶媒体およびその読み取り装置である。この地図データ記憶装置１３には、経度および緯度で適当な大きさに区切られた矩形形状の図葉を単位とした地図データが格納されている。各図葉の地図データは、図葉番号を指定することにより特定され、読み出すことが可能となる。
地図データ記憶装置１３は、地図読出制御部２１ｂからの地図読出要求を受け、所定範囲の地図データ読み出し、地図読出制御部２１ｂに出力する。また、地図データ記憶装置１３は、地図読出制御部２１ｂからの施設データ読出要求を受け、所定の検索条件を満足する施設データを抽出し、ナビ制御部２１の経路探索処理部２１ｃに出力する。
地図データ記憶装置１３は、ハードディスク装置や半導体メモリによって、あるいは、ＤＶＤとその読み取り装置によって実現される。また、地図データ記憶装置１３を通信装置４１に置き換えて、外部の地図配信サーバ（図示せず）から地図データを取得するようにしてもよい。
【００２７】
地図描画部１４は、ナビ制御部２１を介して地図データ記憶装置１３から入力された地図データに基づいて、表示装置５２に地図画像を表示するために必要な道路データや地形データ、施設アイコンデータや各種アイコンデータなどを含んだ地図画像を作成する。そして、地図描画部１４は、作成した地図画像を表示制御部５１に出力する。
【００２８】
車両位置検出部１５は、例えば、ＧＰＳ受信機、方位センサ、距離センサ等を備えており、所定のタイミングで、車両位置（経度、緯度）の検出を行い、その検出結果をナビ制御部２１に出力する。
【００２９】
ＶＩＣＳ情報取得部１６は、高速道路上に設置された電波ビーコン送受信機との間で電波を介して双方向通信を行うとともに、一般道路上に設置された光ビーコン送受信機との間で双方向通信を行うことにより、ＶＩＣＳセンタから送られてくる交通情報を取得する。さらに、ＶＩＣＳ情報取得部１６は、一般のＦＭ放送に重畳された多重化データに含まれる交通情報を取得する。ＶＩＣＳ情報取得部１６が取得した交通情報には、道路上の特定区間がどの程度渋滞しているかを示す渋滞情報、事故や道路の凍結等を示す事象情報、通行止めや対面通行等の規制情報などが含まれる。そして、ＶＩＣＳ情報取得部１６は、取得した交通情報をナビ制御部２１、ＶＩＣＳ情報描画部１７に出力する。
【００３０】
ＶＩＣＳ情報描画部１７は、ＶＩＣＳ情報取得部１６から入力された交通情報に含まれる渋滞情報、事象情報、規制情報に対応する交通情報画像を作成する。例えば、渋滞情報で特定される区間についてその内容（渋滞、混雑、順調）に応じた色を有する補助画像としての矢印画像を描画する処理や、事象情報や規制情報で特定される場所についてその内容に応じた所定のアイコン画像を描画する処理を行う。そして、ＶＩＣＳ情報描画部１７は、作成した交通情報画像を表示制御部５１に出力する
【００３１】
ナビ制御部２１は、車両位置計算部２１ａ、地図読出制御部２１ｂ、経路探索処理部２１ｃを含んで構成されており、図示しないＣＰＵ、ＲＯＭ、ＲＡＭ等を用いて、所定の動作プログラムを実行することにより、自車位置の計算処理、地図データの読み出し処理、施設検索処理、経路探索処理などの機能を実現し、その他、ナビゲーション装置３００のナビゲーション機能全般の制御を行う。
【００３２】
車両位置計算部２１ａは、車両位置検出部１５から入力される検出データに基づいて自車位置を計算するとともに、計算した自車位置が地図データの道路上にない場合には、自車位置を修正するマップマッチング処理を行う。そして、車両位置計算部２１ａは、計算した自車位置情報を地図読出制御部２１ｂ、経路探索処理部２１ｃ、および投稿情報制御部４２に出力する。
地図読出制御部２１ｂは、車両位置計算部２１ａが計算した自車位置周辺の地図データを地図データ記憶装置１３から読み出して地図描画部１４に出力する。
【００３３】
経路探索処理部２１ｃは、操作部１２により目的地設定開始操作がされると、地図データ記憶装置１３の地図データから施設データを読み出して、目的地設定画面の作成指示とともに設定画面描画部３１に出力する。また、ユーザが目的地設定画面から所望の施設を選択すると、経路探索処理部２１ｃは、その施設を目的地に設定し、車両位置計算部２１ａが計算した自車位置から目的地までの経路（誘導経路）を、地図データ記憶装置１３の地図データおよびＶＩＣＳ情報取得部１６から入力される交通情報を用いて探索する。そして、経路探索処理部２１ｃは探索された経路を経路誘導処理部２４に出力する。
【００３４】
経路誘導処理部２４は、経路探索処理部２１ｃによる経路探索によって得られた誘導経路を地図上に重ねて表示するための誘導経路画像を作成したり、右左折する交差点を案内するための交差点拡大図を表示するための交差点拡大図を作成したり、誘導経路に沿って車両の走行を誘導するために必要な交差点案内等の音声信号を作成する。そして、経路誘導処理部２４は、車両位置計算部２１ａにより計算された自車位置に応じて、誘導経路画像や交差点拡大図を表示制御部５１に出力し、音声信号を音声再生装置２５に出力する。
音声再生装置２５は、経路誘導処理部２４から入力される音声信号を再生する。
【００３５】
設定画面描画部３１は、ナビ制御部２１から各種設定画面の表示指示が入力されると、ナビゲーション装置３００における各種設定を行うための設定画面を作成して、表示制御部５１に出力する。例えば、経路探索処理部２１ｃから目的地設定画面の作成指示が入力されると、この作成指示に含まれる施設データの一覧画面を作成して表示制御部５１に出力する。
【００３６】
通信装置４１は、ネットワーク５００に接続しており、各種ＳＮＳサーバから投稿情報を取得するために、各種ＳＮＳサーバとの間でデータ通信を行う。最も一般的には携帯電話や携帯端末装置が通信装置４１として用いられるが、近距離通信モジュールや無線ＬＡＮモジュールなどを通信装置４１として用いるようにしてもよい。
【００３７】
投稿情報制御部４２は、投稿情報取得部４２ａ、同一投稿情報集約部４２ｂ、投稿情報読出部４２ｃを含んで構成されており、図示しないＣＰＵ、ＲＯＭ、ＲＡＭ等を用いて、所定の動作プログラムを実行することにより、各種ＳＮＳサーバから投稿情報を取得する取得処理、同一投稿情報を特定し、複数の投稿情報を同一投稿情報として集約して記憶する集約処理、投稿情報メモリ４３に記憶された投稿情報を読み出す読出処理などの機能を実現し、その他、ナビゲーション装置３００の投稿情報に関する機能全般の制御を行う。
【００３８】
投稿情報取得部４２ａは、ユーザが地図上に投稿情報のアイコンを表示させる投稿情報表示操作を行ったときに、通信装置４１を介して各種ＳＮＳサーバに投稿情報取得要求を送信し、その後、各種ＳＮＳサーバから送信された投稿情報を取得する。この投稿情報取得要求は、ユーザの投稿情報表示操作以後、ユーザが投稿情報の取得操作を行ったときや投稿情報を取得してから所定時間経過する毎に、投稿情報取得部４２ａから送信される。
【００３９】
同一投稿情報集約部４２ｂは、投稿情報取得部４２ａが取得した投稿情報からアカウント情報、投稿日時、投稿内容を比較し、これらの項目が全て同じ投稿情報が存在するか判定する。この同一投稿情報の判定処理の詳細については後述する投稿情報取得処理にて記載する。その結果、同一投稿情報集約部４２ｂは、これらの項目が全て同じ投稿情報が存在すると判定した場合、異なるＳＮＳサーバから受信した同一の投稿情報とし、１つの投稿情報に集約して投稿情報メモリ４３に記憶する。
一方、同一投稿情報集約部４２ｂは、これらの項目が全て同じ投稿情報が存在しないと判定した場合、通常の投稿情報として投稿情報メモリ４３に記憶する。
なお、同一投稿情報集約部４２ｂには、Ｆサーバ１１０のＳＮＳに登録されているアカウント情報、Ｓサーバ１２０のＳＮＳに登録されているアカウント情報、Ｔサーバに登録されているアカウント情報が、同一ユーザであることを判定するためのアカウント対応リスト（図５）が記憶されており、アカウント情報の同一判定をする際に、利用することもできる。
【００４０】
この図５に示すアカウント対応リストには、Ｆサーバ１１０に登録されているアカウント情報、Ｓサーバ１２０に登録されているアカウント情報、Ｔサーバ１３０に登録されているアカウント情報が対応して記憶されており、例えば、Ｆサーバ１１０から取得した投稿情報のアカウント情報が「ＢＮＭ」であり、Ｓサーバ１２０から取得した投稿情報のアカウント情報が「Ｂｅｒｙｌ」である場合、この投稿情報は同一ユーザが投稿した投稿情報であると判断することができる。このアカウント対応リストは、ユーザが自由に編集登録可能である。
【００４１】
投稿情報読出部４２ｃは、操作部１２から投稿情報表示要求が入力されると、ナビ制御部２１の車両位置計算部２１ａから入力される自車位置情報と、投稿情報メモリ４３に記憶されている投稿情報の位置情報を基に、自車位置周辺の投稿情報を投稿情報メモリ４３から読み出し、投稿情報描画部４４に出力する。
投稿情報読出部４２ｃは、操作部１２から投稿情報表示要求の入力以降は、車両位置計算部２１ａから入力される自車位置情報に基づき、自車位置周辺の投稿情報を投稿情報メモリ４３から適宜読み出し、投稿情報描画部４４に出力する。
また、ユーザが地図画像と投稿情報画像を合成した合成地図画像に表示された投稿アイコンを、操作部１２を用いて選択すると、その投稿アイコンが示す投稿情報を、投稿情報メモリ４３から読み出し、投稿情報描画部４４に出力する。
【００４２】
投稿情報描画部４４は、投稿情報読出部４２ｃから投稿情報が入力されると、投稿情報に含まれるサーバ情報や投稿位置に基づいて、投稿情報が存在することを示す投稿アイコンを表示するための投稿情報画像を作成して表示制御部５１に出力する。なお、この投稿アイコン画像は、投稿情報描画部４４に予め設定されており、Ｆサーバ１１０を示すＦアイコン、Ｓサーバ１２０を示すＳアイコン、Ｔサーバ１３０を示すＴアイコン、同一投稿情報を示す統合アイコンがある。
また、ユーザが、操作部１２を用いて表示装置５２に表示される合成地図画像から投稿アイコンを選択すると、その投稿アイコンが示す投稿情報（アカウント情報、投稿日時、投稿位置、投稿手段情報、投稿内容、サーバ情報）を表示した投稿情報詳細画像を作成して表示制御部５１に出力する。
【００４３】
表示制御部５１は、地図描画部１４により作成された地図画像、ＶＩＣＳ情報描画部１７により作成された交通情報画像と、経路誘導処理部２４により作成された誘導経路画像および交差点拡大図、投稿情報描画部４４により作成された投稿情報画像を合成した合成地図画像を作成して表示装置５２に表示する。
さらに、表示制御部５１は、投稿情報描画部４４により作成された投稿情報詳細画像が入力された場合には、合成地図画像に投稿情報詳細画像を重畳して表示装置５２に表示する。
また、表示制御部５１は、設定画面描画部３１によって作成された設定画面が入力された場合には、表示装置５２に表示された合成地図画像を設定画面に切り替えて表示する。
【００４４】
次に、本発明の実施例に係る投稿情報表示システムのＳＮＳサーバへの投稿処理について、説明する。
ユーザが、パソコン２１０または携帯電話２２０にインストールされたＳＮＳアプリケーションを利用し、投稿内容（文字）を入力して送信操作を行うと、パソコン２１０または携帯電話２２０は、その投稿内容に、位置情報、投稿日時、アカウント情報、投稿手段情報の各情報を付加した投稿情報をＳＮＳサーバに送信する。
投稿情報が送信されたＳＮＳサーバの投稿情報受信部２は、パソコン２１０または携帯電話２２０から送信された投稿情報を、通信部１を介して受信して投稿情報制御部３に出力する。そして、投稿情報制御部３は、この投稿情報を投稿情報記憶部４に記憶する。
【００４５】
具体的には、ユーザが携帯電話２２０にインストールされたＦサーバ１１０のＳＮＳに対応したアプリケーション「Ｔ  ｆｏｒ  ｉＰ」を利用し、「モーニングセットかなりお得♪」と投稿すると、携帯電話２２０は、その投稿内容に、現在の位置情報（経度）「Ｌｏｎ．Ａ」（緯度）「Ｌａｔ．Ａ」、投稿した日時「２０１２／０４／０２  ０７：３０」、ユーザのアカウント名「Ｄｅｂｂｙ」、そして、投稿に利用したアプリケーションの情報「Ｔ  ｆｏｒ  ｉＰ」を付加した投稿情報をＦサーバ１１０に送信する。
Ｆサーバ１１０の投稿情報受信部２は、送信された投稿情報を、通信部１を介して受信し、投稿情報制御部３に出力する。そして、投稿情報制御部３は、この投稿情報を投稿情報記憶部４に、投稿日時「２０１２／０４／０２  ０７：３０」、位置情報（経度）「Ｌｏｎ．Ａ」（緯度）「Ｌａｔ．Ａ」、投稿内容「モーニングセットかなりお得♪」、アカウント情報「Ｄｅｂｂｙ」、投稿手段情報「Ｔ  ｆｏｒ  ｉＰ」として図６のｆ１に示すように記憶する。
【００４６】
また、ユーザがパソコン２１０または携帯電話２２０にインストールされた複数のＳＮＳに対応したＳＮＳアプリケーションを利用し、投稿内容（文字）を入力して送信操作を行うと、パソコン２１０または携帯電話２２０は、その投稿内容に、位置情報、投稿日時、アカウント情報、投稿手段情報の各情報を付加した投稿情報をＳＮＳアプリケーションが対応する複数のＳＮＳサーバ（例えば、Ｆサーバ１１０、Ｓサーバ１２０、Ｔサーバ１３０の少なくとも２つ）に送信する。
投稿情報が送信された各ＳＮＳサーバの投稿情報受信部２は、パソコン２１０または携帯電話２２０から送信された投稿情報を、通信部１を介して受信して投稿情報制御部３に出力する。そして、投稿情報制御部３は、この投稿情報を投稿情報記憶部４に記憶する。
このように、ユーザが、複数のＳＮＳに対応したＳＮＳアプリケーションを利用することで、１回の投稿情報の入力・送信操作で、複数のＳＮＳサーバに投稿情報を同時送信することもできる。
【００４７】
具体的には、ユーザが携帯電話２２０にインストールされたＦサーバ１１０、Ｓサーバ１２０、Ｔサーバ１３０のＳＮＳに対応したアプリケーション「ＴＤ＿ＡＰＰ」を利用し、「名物鍋うまかった。またいくぞぉ〜。」と投稿すると、携帯電話２２０は、その投稿内容に、現在の位置情報（経度）「Ｌｏｎ．Ｃ」（緯度）「Ｌａｔ．Ｃ」、投稿した日時「２０１２／０４／０１  ２２：００」、ユーザのアカウント名「Ｂｅｒｙｌ」、そして、投稿に利用したアプリケーションの情報「ＴＤ＿ＡＰＰ」を付加した投稿情報をＦサーバ１１０、Ｓサーバ１２０、Ｔサーバ１３０に送信する。
Ｆサーバ１１０の投稿情報受信部２は、送信された投稿情報を、通信部１を介して受信し、投稿情報制御部３に出力する。そして、投稿情報制御部３は、この投稿情報を投稿情報記憶部４に、投稿日時「２０１２／０４／０１  ２２：００」、位置情報（経度）「Ｌｏｎ．Ｃ」（緯度）「Ｌａｔ．Ｃ」、投稿内容「名物鍋うまかった。またいくぞぉ〜。」、アカウント情報「Ｂｅｒｙｌ」、投稿手段情報「ＴＤ＿ＡＰＰ」として図６のｆ２に示すように記憶する。
【００４８】
同様に、Ｓサーバ１２０の投稿情報受信部２は、送信された投稿情報を、通信部１を介して受信し、投稿情報制御部３に出力する。そして、投稿情報制御部３は、この投稿情報を投稿情報記憶部４に、図７のｓ２に示すように記憶する。
また、Ｔサーバ１３０の投稿情報受信部２も、送信された投稿情報を、通信部１を介して受信し、投稿情報制御部３に出力する。そして、投稿情報制御部３は、この投稿情報を投稿情報記憶部４に、図８のｔ１に示すように記憶する。
【００４９】
各ＳＮＳのユーザは、上記の投稿処理を繰り返し行うことにより、Ｆサーバ１１０、Ｓサーバ１２０、Ｔサーバ１３０の投稿情報記憶部４にはそれぞれ図６〜図８に示す投稿情報が記憶される。この時、各ＳＮＳサーバの投稿情報記憶部４に記憶される投稿情報は、日時情報の時系列順に記憶される。
【００５０】
次に、本発明の実施例に係るナビゲーション装置３００の投稿情報取得処理について、図９を用いて説明する。
ユーザが操作部１２を用いて、地図上に投稿情報が存在することを示す投稿アイコンを表示する投稿情報表示操作を行うと、投稿情報取得部４２ａは、各ＳＮＳサーバ（Ｆサーバ１１０、Ｓサーバ１２０、Ｔサーバ１３０）に対して、投稿情報取得要求を送信する。その後、Ｆサーバ１１０、Ｓサーバ１２０、Ｔサーバ１３０は、この投稿情報取得要求に基づき、投稿情報記憶部４に記憶されている投稿情報（図６〜図８）を投稿情報取得部４２ａに送信する。このとき、各ＳＮＳサーバは、投稿情報１つ１つに対して、送信サーバを識別するサーバ情報を付与する。そして、投稿情報取得部４２ａは、Ｆサーバ１１０、Ｓサーバ１２０、Ｔサーバ１３０から送信された投稿情報を受信して取得する（Ｓ１０１）。
【００５１】
投稿情報取得部４２ａが各ＳＮＳサーバから投稿情報を取得すると、同一投稿情報集約部４２ｂは、投稿情報取得部４２ａが取得した投稿情報のうち、投稿情報に含まれるサーバ情報を参照し、Ｆサーバ１１０から取得した投稿情報を抽出する（Ｓ１０３）。
同一投稿情報集約部４２ｂは、このＦサーバ１１０から取得した投稿情報１つ１つのアカウント情報、投稿日時、投稿内容と、Ｆサーバ１１０以外のＳＮＳサーバ（Ｓサーバ１２０、Ｔサーバ１３０）から取得した投稿情報１つ１つのアカウント情報、投稿日時、投稿内容とを比較し（Ｓ１０５）、アカウント情報、投稿日時、投稿内容の全ての項目が同じである投稿情報が存在するか否かを判定する（Ｓ１０７）。
ここで、同一投稿情報集約部４２ｂは、アカウント情報の同一判定を行う際、図５に示すアカウント対応リストを利用して同一アカウント情報を判定するようにしてもよい。このようにすることで、それぞれのＳＮＳで異なるアカウント情報を設定しているユーザに対しても同一のユーザ（アカウント）であると判定することが可能となる。
【００５２】
ステップＳ１０７により、Ｓサーバ１２０またはＴサーバ１３０から取得した投稿情報でアカウント情報、投稿日時、投稿内容の全ての項目が同一である投稿情報が存在すると判定された場合、異なるＳＮＳサーバから受信した同一の投稿情報とし、１つの投稿情報に集約して投稿情報メモリ４３に記憶する（Ｓ１０９）。すなわち、Ｆサーバ１１０から取得した投稿情報（アカウント情報、投稿日時、投稿内容）と同一の投稿情報がＳサーバ１２０およびＴサーバ１３０に記憶されている場合、３つの投稿情報を１つに集約して投稿情報メモリ４３に記憶する。また、Ｆサーバ１１０から取得した投稿情報（アカウント情報、投稿日時、投稿内容）と同一の投稿情報がＳサーバ１２０またはＴサーバ１３０のどちらか一方に記憶されている場合、２つの投稿情報を１つに集約して投稿情報メモリ４３に記憶する。
一方、ステップＳ１０７により、Ｓサーバ１２０またはＴサーバ１３０から取得した投稿情報で、アカウント情報、投稿日時、投稿内容の全ての項目が同一である投稿情報が存在しないと判定された場合（つまり、１項目でも異なる場合）、Ｆサーバ１１０のみに投稿された投稿情報として投稿情報メモリ４３に記憶する（Ｓ１１１）。
【００５３】
次に、同一投稿情報集約部４２ｂは、Ｓサーバ１２０から取得した投稿情報であり、ステップＳ１０９において集約処理されていない投稿情報を抽出する（Ｓ１１３）。
そして、同一投稿情報集約部４２ｂは、ステップＳ１１３で抽出したＳサーバ１２０から取得した投稿情報１つ１つのアカウント情報、投稿日時、投稿内容と、Ｔサーバ１３０から取得した投稿情報であり、ステップＳ１０９において集約処理されていない投稿情報１つ１つのアカウント情報、投稿日時、投稿内容とを比較し（Ｓ１１５）、アカウント情報、投稿日時、投稿内容の全ての項目が同じである投稿情報が存在するか否かを判定する（Ｓ１１７）。
ここで、同一投稿情報集約部４２ｂは、アカウント情報の同一判定を行う際、図５に示すアカウント対応リストを利用して同一アカウント情報を判定するようにしてもよい。
【００５４】
ステップＳ１１７により、Ｔサーバ１３０から取得した投稿情報でアカウント情報、投稿日時、投稿内容の全ての項目が同一である投稿情報が存在すると判定された場合、異なるＳＮＳサーバから受信した同一の投稿情報とし、１つの投稿情報に集約して投稿情報メモリ４３に記憶する（Ｓ１１９）。すなわち、Ｓサーバ１２０から取得した投稿情報（アカウント情報、投稿日時、投稿内容）と同一の投稿情報がＴサーバ１３０に記憶されている場合、２つの投稿情報を１つに集約して投稿情報メモリ４３に記憶する。
【００５５】
一方、ステップＳ１１７により、Ｔサーバ１３０から取得した投稿情報でアカウント情報、投稿日時、投稿内容の全ての項目が同一である投稿情報が存在しないと判定された場合（つまり、１項目でも異なる場合）、Ｓサーバ１２０のみに投稿された投稿情報として投稿情報メモリ４３に記憶する（Ｓ１２１）。
最後に、同一投稿情報集約部４２ｂは、Ｔサーバ１３０から取得した投稿情報であり、Ｓ１０９またはＳ１１９において集約処理されていない投稿情報を、Ｔサーバ１３０のみに投稿された投稿情報として投稿情報メモリ４３に記憶する（Ｓ１２３）。
【００５６】
上記投稿情報取得処理（Ｓ１０１〜Ｓ１２３）により、ユーザが操作部１２を用いて、地図上に投稿情報が存在することを示す投稿アイコンを表示する投稿情報表示操作を行い、Ｆサーバ１１０、Ｓサーバ１２０、Ｔサーバ１３０からそれぞれ投稿情報を取得し、アカウント情報、投稿日時、投稿内容が同じである同一投稿情報に対しては１つに集約して投稿情報メモリ４３に記憶される。
【００５７】
具体的には、ユーザの投稿情報表示操作により、投稿情報取得部４２ａが、Ｆサーバ１１０、Ｓサーバ１２０、Ｔサーバ１３０からそれぞれ図６〜図８に示す投稿情報を取得すると、同一投稿情報集約部４２ｂは、Ｆサーバ１１０から取得した投稿情報ｆ１に対し、投稿情報ｆ１のアカウント情報「Ｄｅｂｂｙ」、投稿日時「２０１２／０４／０２  ０７：３０」、投稿内容「モーニングセットかなりお得♪」の全ての項目が同じ投稿情報は、Ｓサーバ１２０またはＴサーバ１３０のどちらにも存在しないと判定するため、この投稿情報ｆ１をＦサーバ１１０にのみ投稿された投稿情報として、投稿情報メモリ４３に記憶する（図１０のｍ１）
また、同一投稿情報集約部４２ｂは、Ｆサーバ１１０から取得した投稿情報ｆ２に対し、投稿情報ｆ２のアカウント情報「Ｂｅｒｙｌ」、投稿日時「２０１２／０４／０１  ２２：００」、投稿内容「名物鍋うまかった。またいくぞぉ〜。」の全ての項目が、Ｓサーバ１２０から取得した投稿情報ｓ２およびＴサーバ１３０から取得した投稿情報ｔ１と同じであると判定するため、日時情報「２０１２／０４／０１  ２２：００」、位置情報（経度）「Ｌｏｎ．Ｃ」（緯度）「Ｌａｔ．Ｃ」、投稿内容「名物鍋うまかった。またいくぞぉ〜。」の項目を１つに集約し、同一投稿情報として、投稿情報メモリ４３に記憶する（図１０のｍ３）。
【００５８】
このように、投稿情報取得部４２ａが、Ｆサーバ１１０、Ｓサーバ１２０、Ｔサーバ１３０からそれぞれ図６〜図８に示す投稿情報を取得した場合、同一投稿情報集約部４２ｂにより、複数のＳＮＳサーバに投稿された同一の投稿情報は１つに集約され、投稿情報メモリ４３には、図１０に示すように投稿情報が記憶される。
【００５９】
この投稿情報取得処理は、ユーザが地図上に投稿情報が存在することを示す投稿アイコンを表示する投稿情報表示操作を行った場合の他、投稿情報表示操作を行ってから所定時間経過する毎に行うようにしてもよい。このとき、各ＳＮＳサーバから全ての投稿情報を取得するようにしてもよいし、前回投稿情報を取得した時間より後に新しく各ＳＮＳサーバに投稿された投稿情報のみを取得するようにしてもよい。
【００６０】
次に、本発明の実施例に係るナビゲーション装置３００の投稿情報表示処理について、図１１を用いて説明する。
投稿情報読出部４２ｃは、ナビ制御部２１の車両位置計算部２１ａから入力される自車位置情報と、投稿情報メモリ４３に記憶された投稿情報の投稿位置情報に基づいて、自車位置周辺に存在する投稿情報を特定して投稿情報メモリ４３から読み出す（Ｓ２０１）。そして、投稿情報読出部４２ｃは、ステップＳ２０１により読み出した投稿情報を投稿情報描画部４４に出力する。なお、ステップＳ２０１は、自車が移動して車両位置計算部２１ａから入力される自車位置が変化する度に行われる。
【００６１】
投稿情報描画部４４は、投稿情報読出部４２ｃから入力された投稿情報のサーバ情報に基づき、集約処理された同一投稿情報であるかを判定する（Ｓ２０３）。具体的には、投稿情報のサーバ情報に２つ以上のＳＮＳサーバが記憶されている場合、集約処理された同一投稿情報であると判定する。
ステップＳ２０３により、投稿情報描画部４４が、集約処理された同一投稿情報であると判定した場合、当該同一投稿情報の位置情報が示す位置に表示させる投稿アイコンとして、投稿情報のサーバ情報に基づいて、投稿情報を取得した各ＳＮＳサーバを示すＳＮＳアイコンが統合された統合アイコンを設定する（Ｓ２０５）。一方、ステップＳ２０３により、投稿情報描画部４４が集約処理された同一投稿情報でないと判定した場合、当該投稿情報の位置情報が示す位置に表示させる投稿アイコンとして、投稿情報のサーバ情報に基づいて、投稿情報を取得したＳＮＳサーバを示すＳＮＳアイコンを設定する（Ｓ２０７）。
【００６２】
投稿情報描画部４４は、設定した投稿アイコン、すなわち、ステップＳ２０５にて設定した統合アイコンおよびステップＳ２０７にて設定したＳＮＳアイコンを用いて、地図上に投稿アイコンを表示するための投稿情報画像を作成する（Ｓ２０９）。
そして、投稿情報描画部４４は、ステップＳ２０９にて作成した投稿情報画像を表示制御部５１に出力し、表示制御部５１は、地図描画部１４により作成された地図画像に投稿情報画像を合成した合成地図画像を生成して表示装置５２に表示する（Ｓ２１１）。
【００６３】
上記投稿情報表示処理（Ｓ２０１〜Ｓ２１１）により、投稿情報メモリ４３に記憶された投稿情報（図１０）を表示する場合、投稿情報読出部４２ｃにより、自車位置周辺に存在する投稿情報として、投稿情報ｍ１、ｍ３、ｍ５、ｍ６、ｍ７、ｍ８、ｍ１１が投稿情報メモリ４３から読み出される。
そして、投稿情報描画部４４は、投稿情報ｍ１について位置情報（経度）「Ｌｏｎ．Ａ」（緯度）「Ｌａｔ．Ａ」の位置にＦサーバ１１０を示すＳＮＳアイコンである投稿アイコンＡを、投稿情報ｍ３について位置情報（経度）「Ｌｏｎ．Ｃ」（緯度）「Ｌａｔ．Ｃ」の位置にＦサーバ１１０、Ｓサーバ１２０、Ｔサーバ１３０に投稿されたことを示す統合アイコンである投稿アイコンＣを、投稿情報ｍ５について位置情報（経度）「Ｌｏｎ．Ｅ」（緯度）「Ｌａｔ．Ｅ」の位置にＴサーバ１３０を示すＳＮＳアイコンである投稿アイコンＥを、投稿情報ｍ６について位置情報（経度）「Ｌｏｎ．Ｆ」（緯度）「Ｌａｔ．Ｆ」の位置にＦサーバ１１０、Ｓサーバ１２０、Ｔサーバ１３０に投稿されたことを示す統合アイコンである投稿アイコンＦを、投稿情報ｍ７について位置情報（経度）「Ｌｏｎ．Ｇ」（緯度）「Ｌａｔ．Ｇ」の位置にＦサーバ１１０、Ｓサーバ１２０に投稿されたことを示す統合アイコンである投稿アイコンＧを、投稿情報ｍ８について位置情報（経度）「Ｌｏｎ．Ｈ」（緯度）「Ｌａｔ．Ｈ」の位置にＦサーバ１１０、Ｔサーバ１３０に投稿されたことを示す統合アイコンである投稿アイコンＨを、投稿情報ｍ１１について位置情報（経度）「Ｌｏｎ．Ｋ」（緯度）「Ｌａｔ．Ｋ」の位置にＳサーバ１２０を示すＳＮＳアイコンである投稿アイコンＫを、設定し、地図に表示するための投稿情報画像を作成する。
【００６４】
投稿情報描画部４４は、作成した投稿情報画像を表示制御部５１に出力し、表示制御部５１は、地図画像にこの投稿情報画像を合成した合成地図画像を表示装置５２に表示する（図１２）。
【００６５】
さらに、図１２に示す合成地図画像において、ユーザが操作部１２を用いて、投稿アイコンＡ、Ｃ、Ｅ、Ｆ、Ｇ、Ｈ、Ｋのいずれかを選択すると、投稿情報読出部４２ｃは、その選択された投稿アイコンが示す投稿情報を特定し、特定した投稿情報を投稿情報メモリ４３から読み出して投稿情報描画部４４に出力する。
【００６６】
投稿情報描画部４４は、投稿情報読出部４２ｃから入力された投稿情報（アカウント情報、投稿日時、投稿位置、投稿手段情報、投稿内容、サーバ情報）を表示した投稿情報詳細画像を作成し、表示制御部５１は、合成地図画像に投稿情報詳細画像を重畳して表示装置５２に表示する。
【００６７】
具体的には、ユーザにより投稿アイコンＣが選択されると、投稿情報読出部４２ｃにより、投稿アイコンＣが示す投稿情報として投稿情報ｍ３が特定され、投稿情報描画部４４は、投稿情報読出部４２ｃにより読み出された投稿情報ｍ３の各情報（アカウント情報「Ｂｅｒｙｌ」、投稿日時「２０１２／０４／０１  １５：００」、投稿位置（経度）「Ｌｏｎ．Ｃ」（緯度）「Ｌａｔ．Ｃ」、投稿手段情報「ＴＤ＿ＡＰＰ」、投稿内容「名物鍋うまかった。またいくぞぉ〜。」、サーバ情報「Ｆサーバ」「Ｓサーバ」「Ｔサーバ」）と、当該地点を目的地に設定する目的地設定キーと、当該地点を経由地に設定する経由地設定キーと、当該地点に紐付く施設の詳細情報を表示する施設詳細キーと、を配列した投稿情報詳細画像を作成し、表示制御部５１は、合成地図画像（図１２）に投稿情報詳細画像を重畳して、表示装置５２に表示する（図１３）。
【００６８】
本実施例では、同一投稿情報の比較判定を行う際に、各ＳＮＳサーバ１１０、１２０、１３０から取得した全投稿情報を比較対象としたが、特定の投稿手段から特定された投稿情報のみを比較対象として、同一投稿情報の比較判定を行うようにしてもよい。具体的には、複数のＳＮＳサーバに同時投稿可能なＳＮＳアプリケーション（例えば、「ＴＤ＿ＡＰＰ」）、および、他のＳＮＳサーバから転送されたことを示す投稿手段情報（例えば、「＠Ｅｒｎｅｓｔ  ｏｎ  Ｆサーバ」）である投稿情報のみを比較対象とする。このようにすることで、同一投稿情報の判定処理の負荷を低減させることができる。
【００６９】
また、本実施例では、同一投稿情報の判定を行う際、アカウント情報、投稿日時、投稿内容の全ての項目が同じ場合、同一投稿情報と判定し、集約するようにしたが、アカウント情報、投稿位置、投稿内容の全ての項目が同じ場合、同一投稿情報と判定し、集約するようにすることも可能である。
【００７０】
さらに、本実施例では、図１２に示す合成地図画像において、３つのＳＮＳサーバ１１０、１２０、１３０の全てに投稿された同一投稿情報の投稿アイコンを表示する場合、各種ＳＮＳサーバを示す「Ｆ」「Ｓ」「Ｔ」マークを１つのアイコンにデザインした図１４（ａ）に示す統合アイコンで表示したが、それに限らず、１つのＳＮＳサーバを示すＳＮＳアイコンを所定時間毎に随時切り替えるように表示することもできる（図１４（ｂ））。また、同一投稿情報であることがわかる範囲で統合アイコンのデザインを自由に変形させるようにすることもできる（図１４（ｃ））。
【００７１】
さらに、本実施例では、自車位置周辺の投稿情報を表示する例を示したが、ユーザ操作により地図スクロールされた場合に、スクロール先の地点周辺の投稿情報を表示することもできる。その際は、ステップＳ２０１において、投稿情報読出部４２ｃは、地図スクロール先の地点情報と、投稿情報メモリ４３に記憶された投稿情報の投稿位置情報に基づいて、地点周辺に存在する投稿情報を特定することにより実現可能となる。
【００７２】
以上のように構成することで、複数のＳＮＳサーバから取得した投稿情報から同一の投稿情報を特定し、同一の投稿情報が存在すれば、１つの投稿情報に集約し、前記集約された同一投稿情報を地図に表示することで、重複する不要な投稿情報の表示を防止し、地図表示の視認性を向上することができる。
【符号の説明】
【００７３】
１１０、１２０、１３０  ＳＮＳサーバ
２１０  パーソナルコンピュータ（パソコン）
２２０  携帯電話
３００  ナビゲーション装置
５００  ネットワーク
１  通信部
２  投稿情報受信部
３  投稿情報制御部
４  投稿情報記憶部
５  投稿情報送信部
１２  操作部
１３  地図データ記憶装置
１４  地図描画部
１５  車両位置検出部
２１  ナビ制御部
２１ａ  車両位置計算部
２１ｂ  地図読出制御部
２１ｃ  経路探索処理部
３１  設定画面描画部
４１  通信装置
４２  投稿情報描画部
４２ａ  投稿情報取得部
４２ｂ  同一投稿情報集約部
４２ｃ  投稿情報読出部
４３  投稿情報メモリ
４４  投稿情報描画部
５１  表示制御部
５２  表示装置
ｍ３、ｍ６、ｍ７、ｍ８  同一投稿情報
Ａ、Ｃ、Ｅ、Ｆ、Ｇ、Ｈ、Ｋ、ＦＩ、ＳＩ、ＴＩ、ＭＩ  投稿アイコン
【図１】
2013254045.tif 000003
【図２】
2013254045.tif 000004
【図３】
2013254045.tif 000005
【図４】
2013254045.tif 000006
【図５】
2013254045.tif 000007
【図６】
2013254045.tif 000008
【図７】
2013254045.tif 000009
【図８】
2013254045.tif 000010
【図９】
2013254045.tif 000011
【図１０】
2013254045.tif 000012
【図１１】
2013254045.tif 000013
【図１２】
2013254045.tif 000014
【図１３】
2013254045.tif 000015
【図１４】
2013254045.tif 000016